(57)【特許請求の範囲】
【請求項１】
発光部と、２次電池と、当該２次電池を充電する為の充電回路と、当該充電回路と接続された充電端子と、制御部と、を有する通信装置と、
発光部と、前記通信装置の充電端子に接続可能な供給端子と、当該供給端子に電力を供給する為の電源回路と、制御部と、を有する充電器とからなり、
前記通信装置の制御部は、
前記充電器の供給端子から前記充電端子への電力供給を検出すると、前記通信装置の発光部をゆらぐように発光させるように制御し、
前記充電器の供給端子から前記充電端子への電力供給を検出しなくなると、前記通信装置の発光部を消灯させるように制御し、
前記充電器の制御部は、
前記供給端子に前記通信装置の充電端子が接続されたと判定すると、前記充電器の発光部をゆらぐように発光させるように制御し、
前記供給端子への電力の供給がなくなったと判定すると、前記充電器の発光部を消灯させるように制御することを特徴とする通信装置及び充電器。
【請求項２】
請求項１記載の通信装置及び充電器であって、前記通信装置の発光部と前記充電器の発光部を１／Ｆのゆらぎの光で発光させることを特徴とする通信装置及び充電器。
【発明の詳細な説明】
【技術分野】
【０００１】
本発明は、発光部を有する通信装置及び充電器に関する。
【背景技術】
【０００２】
近年のストレス社会において、リラクゼーション効果のある電子機器が数多く製品化されており、又、特許出願も数多くされている。
【０００３】
例えば特許文献１には、車両の速度メーターの文字板部分からゆらいだ光を透過させることにより、運転者のストレスを和らげる技術が記載されている。
【０００４】
又、特許文献２には、１／Ｆのゆらぎパターンで発光する電子キャンドルの技術が記載されている。
【特許文献１】特開平６−２７３１９６号公報
【特許文献２】特開２００７−１１５４７７号公報
【発明の開示】
【発明が解決しようとする課題】
【０００５】
例えば特許文献１や特許文献２に記載されている１／Ｆのゆらぎパターンで発光する技術を、携帯電話装置の発光部に搭載させ、携帯電話装置のユーザがゆらいだ光を見ることによりユーザのストレスを和らげることが可能である。
【０００６】
しかしながら、携帯電話装置のバッテリー電力は有限である為に、せっかくユーザがゆらいだ光を見てリラックスしているのに、バッテリーの電力が少なくなり突然消灯すると、ユーザの気分を害することとなる。
【０００７】
又、このゆらいだ光は１つあるよりも複数ある方が、ユーザーによってはよりリラクゼーション効果がある場合がある。
【０００８】
本発明はこのような理由から、リラクゼーション効果の高い携帯電話装置と充電器を提供することを目的としている。
【課題を解決するための手段】
【０００９】
請求項１記載の通信装置及び充電器は、発光部と、２次電池と、当該２次電池を充電する為の充電回路と、当該充電回路と接続された充電端子と、制御部と、を有する通信装置と、発光部と、前記通信端末の充電端子に接続可能な供給端子と、当該供給端子に電力を
供給する為の電源回路と、制御部と、を有する充電器とからなり、前記通信装置の制御部は、前記充電器の供給端子から前記充電端子への電力供給を検出すると、前記通信装置の発光部をゆらぐように発光させるように制御し、前記充電器の供給端子から前記充電端子への電力供給を検出しなくなると、前記通信装置の発光部を消灯させるように制御し、前記充電器の制御部は、前記供給端子に前記通信装置の充電端子が接続されたと判定すると、前記充電器の発光部をゆらぐように発光させるように制御し、前記供給端子への電力の供給がなくなったと判定すると、前記充電器の発光部を消灯させるように制御することを特徴とする。
【００１０】
請求項２記載の通信装置及び充電器は、請求項１記載の通信装置及び充電器であって、前記通信装置の発光部と前記充電器の発光部を１／Ｆのゆらぎの光で発光させることを特徴とする。
【発明の効果】
【００１３】
本発明では、通信装置を充電中に通信装置の発光部からゆらいだ光を発光させる為、バッテリー切れ等により突然発光部からの発光が終了するといった事態を回避することができる。この為、ユーザが不快に思うようなことを回避することができる。
【００１４】
又、本発明では、通信装置の発光部と充電器の発光部を同期させるように発光させる為、ユーザは多くの光が規則正しくゆらいで発光するのを見ることにより、リラックすることが可能である。
【００１５】
又、本発明では、通信装置の発光部と充電器の発光部を同期させるように発光させる為、ユーザは多くの光が規則正しくゆらいで発光するのを見ることにより、リラックスすることが可能である。
【００１６】
又、本発明では、通信装置を充電すると通信装置の発光部からゆらいだ光が発光する為、バッテリー切れにより光が消灯するといったことを回避することが可能である。
【００１７】
又、本発明では、通信装置を充電すると充電器の発光部からゆらいだ光が発光する為、ユーザは、携帯電話の表示画面を見たり操作をしながら充電器の発光部からのゆらいだ光を見てリラックスすることが可能である。
【００１８】
又、本発明では、発光部が１／Ｆのゆらぎパターンで発光する為、ユーザがこのゆらいだ光を見てリラックスすることが可能である。
【実施例】
【００１９】
図１は、本発明適用してなる実施例装置である通信装置（例えば、携帯電話装置）の斜視図である。尚、充電器に関しては後述する。図１において、携帯電話装置１は、表示部５を有する第１の筐体３と、入力部６を有する第２の筐体２がヒンジ部４を介して開閉可能に接続されている。又、携帯電話装置１の底面には２つの充電端子７が配置されている。
【００２０】
図２は、携帯電話装置１を充電器５０に載置させた状態を示す斜視図である。携帯電話装置１を充電器５０に載置させる際には、携帯電話装置１を折畳んで充電器５０に載置させることが可能である。
【００２１】
図２において、携帯電話装置１の第１の筐体にはサブ表示部８が搭載されており、このサブ表示部８は携帯電話装置１を折畳んだ状態でも外から見えるようになっている。又、サブ表示部８の周囲は発光パネル９が搭載されており、例えばＬＥＤ等の発光素子からの光が発光パネル９全体から外部に放出される。尚、発光パネル９から光を出す発光素子は後述するブロック図で発光部１２と記載している。
【００２２】
一方、充電器５０には土台５１と発光部材５２が搭載されており、例えばＬＥＤ等の発光素子からの光が発光部材５２全体から外部に放出される。尚、発光部材５２から光を出す発光素子は、後述するブロック図で発光部５５と記載している。
【００２３】
図３は、本実施例装置の携帯電話装置１と充電器５０のブロック図である。尚、図３のブロック図には本発明に関連する部分のみ記載している。
【００２４】
図３において、携帯電話装置１の制御回路１０は各回路の制御を司るＣＰＵ（Ｃｅｎｔｒａｌ  Ｐｒｏｃｅｓｓｉｎｇ  Ｕｎｉｔ）である。
【００２５】
発光駆動回路１１は、例えばＬＥＤ（Ｌｉｇｈｔ  Ｅｍｉｔｔｉｎｇ  Ｄｉｏｄｅ）からなる発光部１２の点灯、消灯、点滅、ゆらぐように光る等の制御を行う。尚、発光部１２から発光された光は発光パネル９から外部へ放出される。
【００２６】
充電回路１３は、二次電池１４を充電するための回路であり、保護回路１５は、例えばダイオードやコンデンサ等から形成され、二次電池１４からの電流を一定の値で携帯電話装置１内の各回路へ供給する為の回路である。又、充電回路１３には充電端子７が接続されている。
【００２７】
ＬＣＤ（Ｌｉｑｕｉｄ  Ｃｒｙｓｔａｌ  Ｄｉｓｐｌａｙ）ドライバ１６は、例えば液晶表示装置からなるサブ表示部８の駆動制御や、サブ表示部８への画像信号の送信等を行う。
【００２８】
無線部１７は、基地局と携帯電話装置１との間の無線信号の送受信をする為の回路であり、アンテナ１８と接続されている。
【００２９】
次に充電器５０について説明する。図３において、充電器５０の制御回路５３は各回路の制御を司るＣＰＵ（Ｃｅｎｔｒａｌ  Ｐｒｏｃｅｓｓｉｎｇ  Ｕｎｉｔ）である。
【００３０】
発光駆動回路５４は、例えばＬＥＤ（Ｌｉｇｈｔ  Ｅｍｉｔｔｉｎｇ  Ｄｉｏｄｅ）からなる発光部５５の点灯、消灯、点滅、ゆらぐように光る等の制御を行う。尚、発光部５５から発光された光は発光部材５２（図２参照）から外部へ放出される。
【００３１】
充電回路５６は、アダプタ５７から入力した電力を携帯電話装置１の充電回路１３に供給する為の充電回路である。
【００３２】
尚、携帯電話装置１を充電器５０に載置した際に、充電端子７と供給端子５６が接続し、この供給端子５６から充電端子７に電力が供給される。
【００３３】
次に、本実施例装置の動作について以下に説明する。図４は携帯電話装置１の動作を示すフロー図であり、図５は充電器５６の動作を示すフロー図である。まず、携帯電話装置１の動作について図４を用いて説明する。
【００３４】
図４において、Ｓ１ステップでは、制御回路１０は、充電回路１３から充電端子７に電力の供給が開始されたことを示す信号を検出すると、充電開始と判定しＳ２ステップへ処理を進める。
【００３５】
Ｓ２ステップでは、制御回路１０は、発光駆動回路１１を制御することにより、発光駆動回路１１が発光部１２を発光制御する。例えば、発光駆動回路１１が発光部１２を点滅、又は炎のようにゆらぐように発光させる、このゆらぐように発光させる際には所謂１／Ｆのゆらぎパターンを用いた発光パターンで発光させる。
【００３６】
Ｓ３ステップでは、制御回路１０は、充電回路１３から充電端子７に電力が供給されなくなったことを示す信号を検出すると、非充電状態となったと判定し、Ｓ４ステップへ処理を進め、そうでなければＳ５ステップへ処理を進める。
【００３７】
Ｓ４ステップでは、制御回路１０は、発光駆動回路１１を制御することにより発光部１２を消灯させ、処理を終了する。
【００３８】
Ｓ５ステップでは、制御回路１０は、無線部１７から着信信号があることを示す信号を検出すると、Ｓ６ステップへ処理を進め、そうでなければＳ３ステップへ処理を戻す。
【００３９】
Ｓ６ステップでは、制御回路１０は、発光駆動回路１１を制御することにより、発光駆動回路１１が、発光部１２を着信時における発光パターンで発光するように制御する。
【００４０】
Ｓ７ステップでは、制御回路１０は、無線部１７から着信信号の検出を終了したことを示す信号を検出すると、着信が終了したと判定し、Ｓ８ステップへ処理を進める。
【００４１】
Ｓ８ステップでは、制御回路１０は、発光駆動回路１１を制御することにより発光部１２を消灯させる。
【００４２】
Ｓ９ステップでは、制御回路１０は、充電回路１３から充電端子７に電力の供給がなくなったことを示す信号を検出すると、処理を終了し、そうでなければ、Ｓ２ステップへ処理を戻す。
【００４３】
次に充電器５０の動作について図５のフロー図を用いて説明する。図５のＳ２０ステップでは、制御回路５３は充電回路５６からアダプタ５７から電力の供給が開始されたことを示す信号を検出すると、Ｓ２１ステップへ処理を進める。
【００４４】
Ｓ２１ステップでは、制御回路５３は、発光駆動回路５４を制御することにより、発光駆動回路５４が発光部５５を発光させるように制御する。例えば、発光駆動回路５４が発光部５５を点滅、又は炎のようにゆらぐように発光させる、このゆらぐように発光させる際には所謂１／Ｆのゆらぎパターンを用いた発光パターンで発光させる。
【００４５】
Ｓ２２ステップでは、制御回路５３が、充電回路５６からアダプタ５７から電力の供給がなくなったことを示す信号を検出すると、Ｓ２３ステップへ処理を進める。
【００４６】
Ｓ２３ステップでは、制御回路５３が、発光駆動回路５４を制御することにより、発光部５５を消灯させ処理を終了する。
【００４７】
以上説明したように、本実施例装置では、携帯電話装置１の制御回路１０が、携帯電話装置１が充電器５０に載置されていると判定すると（充電端子７と供給端子５６とが接続され且つ充電端子７に電力が供給されていると判定すると）、発光部１２が発光開始するように制御すると共に、充電器５０の制御回路５３が、充電器５０に携帯電話装置１が載置され充電されていると判定すると、発光部５５が発光開始するように制御する。
【００４８】
この為、携帯電話装置１の発光部１２と充電器５０の発光部５５とが同期するように発光する。それゆえ、ユーザはこの２つの発光部からの光が同期して点滅（或いは揺らぐように発光）するのを見て、リラックスすることができる。
【００４９】
又、携帯電話装置１の制御回路１０が、発光部１２を発光開始させると同時にＬＣＤドライバ１６を制御することによりサブ表示部８に画像を表示開始させるようにしても良い。このような構成とすることにより、例えば、発光部１２を青や緑色がゆらいだように発光させると同時に、サブ表示部８には小川や森林の映像を表示させ、あたかもユーザが自然の中にいるような気持ちにさせることができる。
【００５０】
尚、発光部１２の発光色と発光部５５の発光色を同一の色としても良いし、異なる色としても良い。この色の設定方法としては以下の方法で可能である。
【００５１】
図３において、データ送信端子１９は発光色の設定情報を充電器５０側に送信する為の端子であり、入力部２０は、例えばテンキーや各種設定キー等からなる。又、メモリ２１は、例えばフラッシュメモリからなり、前記入力部２０から入力された設定情報を格納する為のメモリである。
【００５２】
一方、充電器５０にはデータ受信端子５６が制御回路５３と接続され、携帯電話装置１から受信した設定情報を格納する為の例えばフラッシュメモリからなるメモリ５７が搭載されている。
又、携帯電話装置１を充電器５０に載置すると、データ送信端子１９とデータ受信端子５６が接続される。
【００５３】
このような構成において、ユーザが入力部２０から発光色の設定操作を行うと、制御回路１０は、どのような色で発光するか（或いは、点滅パターンやゆらぎパターン等）を示す発光色の設定情報をメモリ２１に格納する。メモリ２１に格納された設定情報は、携帯電話装置１を充電器５０に載置させた状態で、データ送信端子１９からデータ受信端子５６に送信され、充電器５０の制御回路５３は、受信した設定情報をメモリ５７に格納する。
【００５４】
このようにして、携帯電話１のメモリ２１と充電器５０のメモリ５７夫々に発光色の設定情報が格納され、発光部１２と発光部５５を発光させる際には、このメモリ２１、５７に格納された設定情報に従って発光させる。
【００５５】
尚、メモリ２１からメモリ５７に転送されるデータは、携帯電話装置１の発光部１２の発光色を示す設定情報と同一の設定情報でも良いし、充電器５０の発光部５５の発光色を示す設定情報（携帯電話装置１の発光部１２の発光色を示す設定情報と異なる設定情報）としても良い。
【００５６】
又、本実施例では、設定情報をデータ送信端子１９とデータ受信端子５６を介して送受信する構成としたが、携帯電話１と充電器５０との間で、赤外線通信により送受信する構成としても良いし、電波により送受信する構成としても良い。
【００５７】
尚、本実施例装置は、携帯電話装置１と充電器５０で実施したが、コードレス電話の子機と充電器で実施することや、コードレス電話子機と当該コードレス電話子機を載置可能な親機とで実施することも可能である。又、コードレス電話機能を搭載したファクシミリ装置でも実施することが可能である。
【図面の簡単な説明】
【００５８】
【図１】本発明の一実施例にかかる携帯電話装置１の斜視図である。
【図２】携帯電話装置１を充電器５０に載置させた際の斜視図である。
【図３】携帯電話装置１と充電器５０のブロック図である。
【図４】携帯電話装置１の動作を示すフロー図である。
【図５】充電器５０の動作を示すフロー図である。
【符号の説明】
【００５９】
１・・・・携帯電話装置
８・・・・サブ表示部
１０・・・制御回路
１１・・・発光駆動回路
１２・・・発光部
１３・・・充電回路
５０・・・充電器
５３・・・制御回路
５４・・・発光駆動回路
５５・・・発光部
５６・・・充電回路
【図１】
0005094309.tif 000002
【図２】
0005094309.tif 000003
【図３】
0005094309.tif 000004
【図４】
0005094309.tif 000005
【図５】
0005094309.tif 000006